(57)【要約】【課題】照明器具のスイッチを直接操作することなく、時間帯に応じて帰宅時の照明器具の点灯・非点灯を制御して、利便性を高めたインターホンシステムを提供する。【解決手段】インターホンシステムは、宅外に配設されたドアホン子器４と、ドアホン子器４との間で通話を行う通話手段を具備したインターホン親機１と、扉に設けられた電気錠２３を開錠制御する電気錠システム２と、インターホン親機１からの点灯信号に応じて光源を点灯させる照明器具とを備える。インターホン親機１は、電気錠２３が開錠されることで入力される開錠信号が入力された際に照明器具３への点灯信号を出力する時間帯を設定する点灯時間帯設定部１９を備えている。【選択図】図１
2010226346.tif 000002
【特許請求の範囲】
【請求項１】
宅外に設置されたドアホン子器との間で通話を行う通話手段を具備し宅内に配置されるインターホン親機と、
扉に設けられた錠の開錠に応じて前記インターホン親機に開錠信号を出力する信号出力手段と、
前記インターホン親機から入力される点灯信号に応じて光源を点灯させる宅内に配設された照明手段とを備え、
前記インターホン親機は、点灯信号を出力する点灯時間帯を設定する点灯時間帯設定手段を有し、前記点灯時間帯に前記開錠信号が入力されると前記照明手段に点灯信号を出力することを特徴とするインターホンシステム。
【発明の詳細な説明】
【技術分野】
【０００１】
本発明は、電気錠を使用するインターホンシステムに関するものである。
【背景技術】
【０００２】
近年、玄関扉の開錠・施錠操作を容易にするために、玄関扉に電気錠を取付け、宅内に配設されたインターホン親機を操作することで、電気錠の開錠・施錠操作を可能としたものが普及してきている。
【０００３】
このような構成のインターホンシステムにおいては、さらに帰宅時の開錠操作を簡単にするために、居住者が携行するワイヤレス送信機を用いて開錠操作を可能とし、居住者の開錠操作に応じて、宅内に設置されたエアコンなどの電気機器を制御するインターホンシステムがある（例えば、特許文献１）。
【０００４】
特許文献１記載のインターホンシステムでは容易に開錠が行えるので、例えば両手に荷物を持った居住者が帰宅した場合であっても、容易に開錠して宅内に入ることができる。また、開錠を行うことで、予めインターホンシステムに設定され、宅内に設置されたエアコンなどの電気機器を操作することができるので、荷物を置いた後に電気機器を操作するためのリモコンを操作することなく、電気機器の電源を入れることができる。
【先行技術文献】
【特許文献】
【０００５】
【特許文献１】特開２００７−２３５２３０号公報
【発明の概要】
【発明が解決しようとする課題】
【０００６】
例えば、夜間に帰宅した際に宅内を照明するため、上述のインターホンシステムに照明器具を接続した場合において、夜間に帰宅すると、開錠して宅内に入ることでインターホンシステムに接続した照明器具が点灯されるので、照明器具のスイッチを直接操作することなく所望の照明を得ることができる。
【０００７】
しかしながら、昼間に帰宅した場合には、照明器具を点灯せずとも外部からの太陽光によって宅内は十分な明るさが得られており、開錠して宅内に入った後、わざわざ照明器具を消灯させる必要があった。この操作は面倒であり、消灯させずにおくと不要に電気を消費することになり不経済であった。
【０００８】
本発明は、上記事由に鑑みて為されたものであり、その目的とするところは、照明器具のスイッチを直接操作することなく、開錠時間に応じて照明器具の点灯を制御することで、利便性を高めて無駄な電力消費を抑えることが可能なインターホンシステムを提供することにある。
【課題を解決するための手段】
【０００９】
上記目的を達成するために、請求項１の発明では、宅外に設置されたドアホン子器との間で通話を行う通話手段を具備し宅内に配置されるインターホン親機と、扉に設けられた錠の開錠に応じて前記インターホン親機に開錠信号を出力する信号出力手段と、前記インターホン親機から入力される点灯信号に応じて光源を点灯させる宅内に配設された照明手段とを備え、前記インターホン親機は、点灯信号を出力する点灯時間帯を設定する点灯時間帯設定手段を有し、前記点灯時間帯に前記開錠信号が入力されると前記照明手段に点灯信号を出力することを特徴とする。
【発明の効果】
【００１０】
請求項１の発明によれば、予め点灯時間帯設定手段で設定された時間帯内に、電気錠が開錠されて電気錠システムからインターホン親機に開錠信号が入力されると、インターホン親機は照明器具に点灯信号を出力して、照明器具の光源を点灯させる。これにより、例えば宅内も十分な明るさがある昼間に帰宅した場合には照明器具を非点灯とし、夜間に帰宅した場合には照明器具を点灯させることができ、無駄な電力消費を低減して、より使い勝手の良いインターホンシステムを提供することができる。
【図面の簡単な説明】
【００１１】
【図１】本発明の実施の形態にかかるインターホンシステムを示す概略構成図である。
【図２】同インターホンシステムを示すブロック図である。
【図３】同インターホンシステムにおける動作を示すフロチャートである。
【発明を実施するための形態】
【００１２】
以下に本発明の実施の形態を図１〜図３に基づいて説明する。
【００１３】
本実施の形態にかかるインターホンシステムは、図１に示すとおり、屋内に配置されたインターホン親機１と、玄関扉に設けられた電気錠２３の開錠、施錠を制御する電気錠システム２と、例えば蛍光灯を光源として屋内の天井に配設された照明器具３と、インターホン親機１との間で通話を行うドアホン子器４とを備えている。なお、以下の説明においては、照明器具３およびドアホン子器４をそれぞれ１台ずつ接続されている形態について説明を行うが、それぞれ複数台接続することが可能である。
【００１４】
インターホン親機１は、インターホン親機１の表面に設けられた、例えば液晶パネルからなる映像表示部１４と、スピーカー及びマイクからなる音声入出力部１６を備えており、信号線Ｌ１を介してドアホン子器４と接続されている。
【００１５】
また、インターホン親機１は、図２に示すように、ドアホン子器４との間で例えば周波数多重化によって映像信号、音声信号、制御信号の授受を行う多重化回路部１２と、多重化回路部１２からの映像信号に応じてドアホン子器４のカメラ（図示せず）で撮影された映像を映像表示部１４に表示させる映像信号処理回路１３と、多重化回路部１２からの音声信号を処理して音声入出力部１６のスピーカーから音声を出力させるとともに、音声入出力部１６のマイクから入力された音声を音声信号に変換して多重化回路部１２に出力する音声信号回路１５とを備える。ここにおいて、多重化回路部１２、映像信号処理回路１３、映像表示部１４、音声信号回路１５、および、音声入出力部１６によって通話手段が構成されている。
【００１６】
また、インターホン親機１は、インターホン親機１に接続された各機器（ドアホン子器４、電気錠システム２、照明器具３）との通信を制御する制御部１０と、制御部１０からの制御信号に応じてドアホン子器４の動作電力の供給を行う給電回路１１とを備えている。ここで、ドアホン子器４はインターホン親機１の給電回路１１から供給される電力で動作しており、ドアホン子器４が来訪者に操作されるとインターホン親機１が呼び出され、インターホン親機１とドアホン子器４との間で通話が行われる。なお、ドアホン子器４及び通話方法については既知の技術であるので、詳細な説明については省略する。
【００１７】
また、インターホン親機１は、信号線Ｌ２を介して接続された電気錠システム２との間で開錠信号の授受を行う電気錠通信部１７と、信号線Ｌ３を介して接続された照明器具３に対して照明器具３を点灯させる点灯信号を出力する照明器具通信部１８と、開錠信号が入力された際に照明器具３への点灯信号を出力する時間帯を設定する点灯時間帯設定部１９と、例えばＥＥＰＲＯＭ（Ｅｌｅｃｔｉｃａｌ  Ｅｒａｓａｂｌｅ  Ｐｒｏｇｒａｍａｎｌｅ  ＲＯＭ）などの不揮発性のメモリからなり、点灯時間帯設定部１９で設定された点灯時間帯情報を記憶する記憶部２０とを備えている。
【００１８】
点灯時間帯設定部１９は、例えばインターホン親機１の表面に設けられた操作ボタン（図示せず）と、映像表示部１４にＯＳＤ制御信号を出力するＯＳＤ制御部（図示せず）とを有し、映像表示部１４に表示されたＯＳＤ表示に基づいて居住者が操作ボタンを操作することで、照明器具３の点灯時間帯を設定して記憶部２０に点灯時間帯情報を記憶させる。具体的には、例えば１８時から翌朝６時までの間は、開錠信号が入力されると照明器具３を点灯させるよう設定し、６時から１８時までは照明器具３を点灯させないように設定することを可能にしている。なお、照明器具３が複数台接続されている場合には、それぞれの照明器具３について点灯時間帯設定部１９を用いて点灯する時間帯を設定することができる。
【００１９】
電気錠システム２は、電気錠２３に接続され電気錠２３を開錠制御する開錠制御部２１と、電気錠２３が開錠される際に開錠制御部２１から出力される開錠信号を信号線Ｌ２を介してインターホン親機１に出力する通信部２２とを備えている。なお、以下の説明では、開錠制御部２１は、電気錠２３を開錠制御した後、開錠信号を出力するものについて説明を行うが、電気錠２３を開錠制御する前に開錠信号を出力するようにしてもよい。
【００２０】
ここで、外出していた居住者が帰宅し、電気錠２３を開錠する際のインターホン親機１及び照明器具３の動作について、図３に示すフロチャートに基づいて説明を行う。なお、インターホン親機１の点灯器具設定部１９には、予め居住者によって、開錠時間に応じて照明器具３が点灯されるように設定されている。
【００２１】
まず、インターホン親機１の制御部１０は、信号線Ｌ２を介して電気錠通信部１７が開錠信号を受信したかを判断し（処理Ｓ１）、電気錠通信部１７によって開錠信号が受信されていなければ同様の判定を繰り返す（処理Ｓ１のＮｏ）。すなわち、制御部１０は、電気錠システム２から開錠信号が入力されるのを待機している。
【００２２】
ここで、居住者が電気錠システム２を操作して電気錠２３を開錠すると、電気錠システム２が開錠信号を出力し、制御部１０は電気錠通信部１７に開錠信号が入力されたことを検知して（処理Ｓ１のＹｅｓ）、照明器具通信部１８を介して照明器具３の点灯状態を検出する（処理Ｓ２）。照明器具３が点灯状態であれば（処理Ｓ２のＹｅｓ）、処理を終了する（処理Ｓ７）。
【００２３】
ここで照明器具３が消灯状態であると（処理Ｓ２のＮｏ）、制御部１０は記憶部２０から照明器具３に対応した点灯時間帯情報を取得して現在時刻と比較し（処理Ｓ３）、現在時刻が照明器具３の点灯時間帯でなければ（処理Ｓ３のＮｏ）、処理を終了する（処理Ｓ７）。また、現在時刻が照明器具３の点灯時間帯であれば（処理Ｓ３のＹｅｓ）、照明器具通信部１８によって照明器具３に点灯信号を出力させる（処理Ｓ４）。
【００２４】
照明器具３は、インターホン親機１から信号線Ｌ３を介して点灯信号が入力されると（処理Ｓ５のＹｅｓ）、光源に点灯電力を供給して光源を点灯させる（処理Ｓ６）。
【００２５】
このようにして、居住者が帰宅した際に、居住者が電気錠システム２を用いて電気錠を開錠すると、開錠時間に応じて照明器具３の点灯・非点灯を制御することができるので、利便性が高く、また、無駄な電力消費を抑えたインターホンシステムが提供できる。
【符号の説明】
【００２６】
１        インターホン親機
１２      多重化回路（通話手段）
１３      映像信号処理部（通話手段）
１４      映像表示部（通話手段）
１５      音声信号回路（通話手段）
１６      音声入出力部（通話手段）
１９      点灯時間帯設定部
２        電気錠システム
２２      通信部（信号出力手段）
３        照明器具
４        ドアホン子器
【図１】
2010226346.tif 000003
【図２】
2010226346.tif 000004
【図３】
2010226346.tif 000005